(57)【要約】  【課題】  光ヘッドを案内する一対のガイド軸についての光ディスクの記録面に対する平行度合いを安価な構成で調整できる光ピックアップ装置を提供する。  【解決手段】  ガイド軸２は、シャーシ１に取り付けられた捩りコイルバネ５から弾性的な復元力が与えられることによって、光ディスクの記録面から遠ざかる方向へ向けて付勢される。ガイド軸２の合計４つの先端２ａのうちの少なくとも３つの先端２ａそれぞれに近接したそれぞれの位置に、回転することで光ディスクの記録面に向けて進退する調整用のネジ５がナット６に螺合してシャーシ１に取り付けられている。ネジ５における頭部５ａの平らな内側端面５ａａに、ガイド軸２の先端２ａの外周部が当接することによって、ガイド軸２の付勢された位置が規定される。【選択図】      図３
2006302372.tif 000002
【特許請求の範囲】
【請求項１】
シャーシ上に支持された一対のガイド軸に案内されながら光ディスクの記録面に沿う径
方向に往復移動する光ヘッドを備えた光ピックアップ装置であって、
前記ガイド軸は、このガイド軸における合計４つの先端それぞれの近傍で前記シャーシ
に取り付けられた捩りコイルバネからこの捩りコイルバネの復元力が与えられることによ
って、前記光ディスクの記録面から遠ざかる方向へ向けて付勢されるとともに、前記ガイ
ド軸の前記先端近傍それぞれの位置で前記シャーシに取り付けられ回転することで前記光
ディスクの記録面に向けて進退する調整用の特殊ネジにおける平らな先端面に、前記ガイ
ド軸の前記先端近傍の外周部が当接することによって、前記ガイド軸の付勢された位置が
規定されるようになっており、
前記シャーシが合成樹脂より成型されて成り、そのシャーシに形成されたネジ穴に前記
特殊ネジが螺合して取り付けられ、
前記捩りコイルバネは、そのコイル部に前記ガイド軸が挿入されるとともに、前記コイ
ル部から伸び出す両端部が、前記シャーシに形成された引掛け部に引っ掛けられている光
ピックアップ装置において、
前記特殊ネジ及び前記ネジ穴を排除し、
前記ガイド軸の前記先端それぞれに近接したそれぞれの位置で前記シャーシに取り付け
られ回転することで前記光ディスクの記録面に向けて進退する調整用のネジの頭部におけ
る平らな内側端面に、前記ガイド軸の前記先端の外周部が当接することによって、前記ガ
イド軸の付勢された位置が規定されるようになっており、
前記シャーシに保持されたナットに前記ネジが螺合して取り付けられていることを特徴
とする光ピックアップ装置。
【請求項２】
シャーシ上に支持された一対のガイド軸に案内されながら光ディスクの記録面に沿う径
方向に往復移動する光ヘッドを備えた光ピックアップ装置において、
前記ガイド軸は、前記シャーシに取り付けられた弾性部材からこの弾性部材の復元力が
与えられることによって、前記光ディスクの記録面から遠ざかる方向へ向けて付勢される
とともに、前記ガイド軸の合計４つの先端のうちの少なくとも３つの先端それぞれに近接
したそれぞれの位置で前記シャーシに取り付けられ回転することで前記光ディスクの記録
面に向けて進退する調整用のネジにおける頭部の平らな内側端面に、前記ガイド軸の前記
先端の外周部が当接することによって、前記ガイド軸の付勢された位置が規定されること
を特徴とする光ピックアップ装置。
【請求項３】
前記シャーシが合成樹脂より成型されて成り、そのシャーシに保持されたナットに前記
ネジが螺合して取り付けられていることを特徴とする請求項２に記載の光ピックアップ装
置。
【請求項４】
前記弾性部材は、前記ガイド軸における前記ネジに近接した前記先端それぞれの近傍に
取り付けられていることを特徴とする請求項２又は３に記載の光ピックアップ装置。
【請求項５】
前記弾性部材は捩りコイルバネであり、そのコイル部に前記ガイド軸が挿入されるとと
もに、前記コイル部から伸び出す両端部が、前記シャーシに形成された引掛け部に引っ掛
けられていることを特徴とする請求項２から４のいずれかに記載の光ピックアップ装置。
【発明の詳細な説明】
【技術分野】
【０００１】
本発明は、情報記録媒体であるＣＤやＤＶＤ等の光ディスクに対して情報の再生や記録
を行うための光ピックアップ装置に関する。
【背景技術】
【０００２】
光ピックアップ装置は、回転する光ディスクの記録面にレーザー光を出射してその記録
面上に情報を書き込んだり（記録）、更に光ディスクの記録面で反射したレーザー光を受
光してその記録面上の情報を読み取ったり（再生）するための光ヘッドを備える。ここで
光ディスクに対する情報の再生や記録の際、光ヘッドは光ディスクの記録面に沿う径方向
に往復移動するわけであるが、その往復移動の案内は、一般に、シャーシ上に支持された
一対のガイド軸でなされる。従って、再生や記録を高精度に行えるか否かは、光ディスク
の記録面に対するガイド軸の平行度合いに大きく依存することになるため、一般の光ピッ
クアップ装置では、その平行度合いの調整が行えるように、ガイド軸はシャーシに対して
高さ調整が可能に支持されている。
【０００３】
そのガイド軸高さ調整構造の従来の一例を図４に示す。なお、この図４では、一対のガ
イド軸について、１本のガイド軸に２つ（両端）あって合計で４つある先端のうちの１つ
の先端付近を代表的に示している。
【０００４】
図４に示すように、シャーシ（不図示）には、ガイド軸１０２の先端１０２ａの近傍に
、捩りコイルバネ１０４が取り付けられている。ここでの捩りコイルバネ１０４は、その
コイル部１０４ａにガイド軸１０２が挿入されるとともに、コイル部１０４ａから伸び出
す両端部１０４ｂ、１０４ｂが、シャーシに引っ掛けられることで取り付けられている。
こうしてガイド軸１０２は、その捩りコイルバネ１０４の弾性的な復元力が与えられるこ
とによって、光ディスクの記録面（図４では上方に位置する）から遠ざかる方向（図４で
は下方へ向く方向）へ向けて付勢される（図４中の実線矢印参照）。
【０００５】
同じくシャーシにおけるガイド軸１０２の先端１０２ａの近傍位置には、回転すること
で光ディスクの記録面に向けて進退する調整用の特殊ネジ１０５が取り付けられている。
この特殊ネジ１０５の平らな先端面１０５ａａに、ガイド軸１０２の先端１０２ａ近傍の
外周部が当接することによって、ガイド軸１０２の付勢方向への移動が規制され、これに
よりガイド軸１０２の先端１０２ａ近傍部の位置すなわち高さが規定されるようになって
いる。特に、ここでの特殊ネジ１０５は、例えばポリフェニレンエーテル（ＰＰＥ）等の
合成樹脂より成型されて成るシャーシにタップ加工等によって形成されたネジ穴に螺合す
ることで取り付けられている。但し、ガイド軸１０２は、シャーシに形成された軸受け部
によって、その付勢方向への移動が案内されるとともに、その付勢方向以外（図４では紙
面に垂直な方向）への移動が規制されている。
【０００６】
ガイド軸１０２の残りの３つの先端１０２ａ付近に対しても、同様の捩りコイルバネ１
０４及び特殊ネジ１０５がそれぞれ取り付けられている。
【０００７】
このような構成のもと、各特殊ネジ１０５を個々に回転させて捩り込んだり捩り戻した
りすることで進退させ、これによりガイド軸１０２の各先端１０２ａ近傍部の高さが個々
に調整され、その結果、光ディスクの記録面に対してガイド軸１０２を適正な平行度合い
に調整できる。
【０００８】
また、上記した従来のガイド軸高さ調整構造とは異なる別例として、ガイド軸１０２の
先端１０２ａ近傍部を付勢する一対の組合せで成る板バネを備えるとともに、回転するこ
とで光ディスクの記録面に向けて進退する（上記の特殊ネジ１０５の進退方向と同じ方向
に進退する）特殊ネジを備えたものがある（例えば、特許文献１参照）。ここでは、その
特殊ネジにおける頭部の周縁が大きく広がっており、その周縁部の外側端面にガイド軸１
０２の先端１０２ａの外周部が当接することによって、ガイド軸１０２の先端１０２ａ近
傍部の高さが規定されるようになっている。
【特許文献１】特開２００３−３４６３５１号公報
【発明の開示】
【発明が解決しようとする課題】
【０００９】
ところで、近年の光ピックアップ装置にはより一層のコスト低減が求められているが、
上記した従来のガイド軸高さ調整構造では、何れも、一般市場では調達が困難な専用に製
作された特殊ネジが必要とされることから、コスト低減が著しく制約されてしまう。従来
のガイド軸高さ調整構造のうちの一例で用いられる特殊ネジ１０５では、ガイド軸１０２
に当接するその先端面１０５ａａに、回転中心軸に対する高度な直角度が要求され（汎用
のネジにはそれほど要求されない。）、一方別例で用いられる特殊ネジでは、ガイド軸１
０２に当接させるために、その頭部に大きく広がった周縁部の形成が要求される（汎用の
ネジにはまずは無い。）からである。
【００１０】
なお、従来の別例でのガイド軸高さ調整構造では、ガイド軸１０２の保持が板バネと特
殊ネジとによってなされるため、特殊ネジの頭部の外側端面からガイド軸１０２の外周部
が不用意に外れて、ガイド軸１０２が脱落してしまう心配もある。
【００１１】
そこで本発明は、上記の問題に鑑みてなされたものであり、光ヘッドを案内する一対の
ガイド軸についての光ディスクの記録面に対する平行度合いを安価な構成で調整できる光
ピックアップ装置を提供することを目的とするものである。
【課題を解決するための手段】
【００１２】
上記目的を達成するため、本発明は、シャーシ上に支持された一対のガイド軸に案内さ
れながら光ディスクの記録面に沿う径方向に往復移動する光ヘッドを備えた光ピックアッ
プ装置であって、前記ガイド軸は、このガイド軸における合計４つの先端それぞれの近傍
で前記シャーシに取り付けられた捩りコイルバネからこの捩りコイルバネの復元力が与え
られることによって、前記光ディスクの記録面から遠ざかる方向へ向けて付勢されるとと
もに、前記ガイド軸の前記先端近傍それぞれの位置で前記シャーシに取り付けられ回転す
ることで前記光ディスクの記録面に向けて進退する調整用の特殊ネジにおける平らな先端
面に、前記ガイド軸の前記先端近傍の外周部が当接することによって、前記ガイド軸の付
勢された位置が規定されるようになっており、前記シャーシが合成樹脂より成型されて成
り、そのシャーシに形成されたネジ穴に前記特殊ネジが螺合して取り付けられ、前記捩り
コイルバネは、そのコイル部に前記ガイド軸が挿入されるとともに、前記コイル部から伸
び出す両端部が、前記シャーシに形成された引掛け部に引っ掛けられている光ピックアッ
プ装置において、次の点を特徴とする。
【００１３】
前記特殊ネジ及び前記ネジ穴を排除し、前記ガイド軸の前記先端それぞれに近接したそ
れぞれの位置で前記シャーシに取り付けられ回転することで前記光ディスクの記録面に向
けて進退する調整用のネジの頭部における平らな内側端面に、前記ガイド軸の前記先端の
外周部が当接することによって、前記ガイド軸の付勢された位置が規定されるようになっ
ており、前記シャーシに保持されたナットに前記ネジが螺合して取り付けられている。
【００１４】
このような構成にすると、各ネジを個々に回転させて捩り込んだり捩り戻したりするこ
とで進退させ、これにより各ネジにおける頭部の内側端面に当接したガイド軸の各先端近
傍部の高さが個々に調整され、その結果、光ディスクの記録面に対してガイド軸を適正な
平行度合いに調整できる。しかも、そのガイド軸の平行度合いの調整は、一般市場で広く
流通する頭部形状の内側端面が平らなネジが用いられるため、安価に実現できる。
【００１５】
また上記目的を達成するために本発明は、シャーシ上に支持された一対のガイド軸に案
内されながら光ディスクの記録面に沿う径方向に往復移動する光ヘッドを備えた光ピック
アップ装置において、次の点を特徴とする。前記ガイド軸は、前記シャーシに取り付けら
れた弾性部材からこの弾性部材の復元力が与えられることによって、前記光ディスクの記
録面から遠ざかる方向へ向けて付勢されるとともに、前記ガイド軸の合計４つの先端のう
ちの少なくとも３つの先端それぞれに近接したそれぞれの位置で前記シャーシに取り付け
られ回転することで前記光ディスクの記録面に向けて進退する調整用のネジにおける頭部
の平らな内側端面に、前記ガイド軸の前記先端の外周部が当接することによって、前記ガ
イド軸の付勢された位置が規定される。
【００１６】
このような構成にすると、各ネジを個々に回転させて捩り込んだり捩り戻したりするこ
とで進退させ、これにより各ネジにおける頭部の内側端面に当接したガイド軸の各先端近
傍部の高さが個々に調整され、その結果、光ディスクの記録面に対してガイド軸を適正な
平行度合いに調整できる。しかも、そのガイド軸の平行度合いの調整は、一般市場で広く
流通する頭部形状の内側端面が平らなネジが用いられるため、安価に実現できる。ちなみ
に、光ディスクの記録面に対するガイド軸の平行度合いの調整は、ガイド軸の合計４つの
先端のうち、１つの先端近傍部を基準にしつつ、残りの３つの先端近傍部で高さ調整を行
えば足りる。つまり１つの先端近傍部は固定支持であっても構わない。
【００１７】
ここで、特にシャーシの製作コストを低減させる観点から、前記シャーシが合成樹脂よ
り成型されて成り、そのシャーシに保持されたナットに前記ネジが螺合して取り付けられ
ていることが好ましい。
【００１８】
また、ガイド軸の付勢状態を安定させる観点から、前記弾性部材は、前記ガイド軸にお
ける前記ネジに近接した前記先端それぞれの近傍に取り付けられていることが好ましい。
【００１９】
また、実用性を踏まえると、前記弾性部材は捩りコイルバネであり、そのコイル部に前
記ガイド軸が挿入されるとともに、前記コイル部から伸び出す両端部が、前記シャーシに
形成された引掛け部に引っ掛けられていることが好ましい。
【発明の効果】
【００２０】
本発明の光ピックアップ装置によれば、光ヘッドを案内する一対のガイド軸について、
光ディスクの記録面に対する平行度合いの調整を安価なネジで実現できるため、結果とし
て光ピックアップ装置のコスト低減が可能になる。
【発明を実施するための最良の形態】
【００２１】
以下に、本発明の光ピックアップ装置の一実施形態について、図面を参照しながら詳述
する。図１は本発明の一実施形態である光ピックアップ装置における一対のガイド軸を支
持したシャーシを上面側から見た斜視図、図２は図１でのシャーシを透視した斜視図であ
る。図３はその光ピックアップ装置におけるガイド軸高さ調整構造に関してシャーシを透
過して示す要部側面図である。なお、図３では、一対のガイド軸について、１本のガイド
軸に２つ（両端）あって合計で４つある先端のうちの１つの先端付近を代表的に示してい
る。
【００２２】
本実施形態の光ピックアップ装置では、シャーシ１上に高さ調整が可能に支持された一
対のガイド軸２に案内されながら光ディスクの記録面に沿う径方向に往復移動する光ヘッ
ド３を備える。この光ヘッド３は、大きくは、レーザー光を出射する半導体レーザー等の
光源、光源からのレーザー光に基づく光ディスクからの反射光を最終的に受光して検出し
電気信号に変換するフォトダイオード等の光検出器、光源からのレーザー光を光ディスク
の反射を経て光検出器まで導く回折格子やハーフミラーや対物レンズ等の光学系、これら
の各部品が取り付けられて駆動されるベース部材、より構成される。なお、図１及び図２
では、そのベース部材を代表で図示している。
【００２３】
続いて本実施形態でのガイド軸２の高さ調整構造について説明する。シャーシ１には、
ガイド軸２の先端２ａの近傍に、捩りコイルバネ４が取り付けられている。ここでの捩り
コイルバネ４は、そのコイル部４ａにガイド軸２が挿入されるとともに、コイル部４ａか
ら伸び出す両端部４ｂ、４ｂが、シャーシ１に形成された一対の引掛け部１ａ、１ａ（図
１参照）にそれぞれ引っ掛けられることで取り付けられている。なお、シャーシ１は、例
えばポリフェニレンエーテル（ＰＰＥ）等の合成樹脂より成型されて成るものであって、
引掛け部１ａ、１ａはシャーシ１と一体成型される。こうしてガイド軸２は、その捩りコ
イルバネ４の両端部４ｂ、４ｂを支点とした弾性的な復元力が与えられることによって、
光ディスクの記録面（図３では上方に位置する）から遠ざかる方向（図３では下方へ向く
方向）へ向けて安定して付勢される（図３中の実線矢印参照）。
【００２４】
またシャーシ１には、ガイド軸２の先端２ａに近接した位置に、回転することで光ディ
スクの記録面に向けて進退する調整用のネジ５が取り付けられている。そのネジ５として
は、頭部５ａとネジ軸部５ｂとより成る一般市場で広く流通するネジが適用され、その頭
部５ａの内側端面５ａａが平らになっている。このネジ５における頭部５ａの平らな内側
端面５ａａに、ガイド軸２の先端２ａの外周部が当接することによって、ガイド軸２の付
勢方向への移動が規制され、これによりガイド軸２の先端２ａ近傍部の位置すなわち高さ
が規定されるようになっている。但し、ガイド軸２は、シャーシに形成された軸受け部に
よって、その付勢方向への移動が案内されるとともに、その付勢方向以外（図３では紙面
に垂直な方向）への移動が規制されている。
【００２５】
特に、ここでのネジ５は、シャーシ１と一体成型された凹み穴に嵌め込まれて保持され
たナット６に、そのネジ軸部５ｂが螺合することで取り付けられている。これにより、従
来のガイド軸高さ調整構造での特殊ネジ１０５取付け用のネジ穴をシャーシに形成するた
めのタップ加工等が不要となるため、コスト低減が期待できる。
【００２６】
ガイド軸２の残りの３つの先端２ａ付近に対しても、同様の捩りコイルバネ４及びネジ
５がそれぞれ取り付けられている。
【００２７】
このような構成のもと、各ネジ５を個々に回転させて捩り込んだり捩り戻したりするこ
とで進退させ、これにより各ネジ５における頭部５ａの内側端面５ａａに当接したガイド
軸２の各先端２ａ近傍部の高さが個々に調整され、その結果、光ディスクの記録面に対し
てガイド軸２を適正な平行度合いに調整できる。しかも、そのガイド軸２の平行度合いの
調整は、一般市場で広く流通するネジ５が用いられるため、安価に実現でき、結果として
光ピックアップ装置のコスト低減が可能になる。もっとも、ガイド軸２の保持が捩りコイ
ルバネ４とネジ５とシャーシに形成の軸受け部とによってなされるため、ネジ５の頭部５
ａの内側端面５ａａからガイド軸２の外周部が不用意に外れる心配は無い。
【００２８】
なお、光ディスクの記録面に対するガイド軸２の平行度合いの調整は、ガイド軸２の合
計４つの先端２ａのうち、１つの先端２ａ近傍部を基準にしつつ、残りの３つの先端２ａ
近傍部で高さ調整を行えば足りる。従って、１つの先端２ａ近傍部には、敢えて捩りコイ
ルバネ４及びネジ５を備えることなく、その１つの先端２ａ近傍部は固定支持であっても
構わない。
【００２９】
その他本発明は上記の実施形態に限定されず、本発明の趣旨を逸脱しない範囲で、種々
の変更が可能である。例えば、ガイド軸２に弾性的な復元力を与えてガイド軸２を光ディ
スクの記録面から遠ざかる方向へ付勢することができる限り、捩りコイルバネ４を板バネ
等の弾性部材に代えることも可能である。更に、その弾性部材の取付け位置もガイド軸２
の先端２ａの近傍に限定されるわけではない。また、シャーシ１へのネジ５の取付けは、
ナット６との螺合に限らず、従来のガイド軸高さ調整構造のように、シャーシ１にタップ
加工等によって形成されたネジ穴に螺合することでもよい。
【産業上の利用可能性】
【００３０】
本発明は、光ディスクに対して情報の再生や記録を行うための光ピックアップ装置に有
用である。
【図面の簡単な説明】
【００３１】
【図１】本発明の一実施形態である光ピックアップ装置における一対のガイド軸を支持したシャーシを上面側から見た斜視図である。
【図２】図１でのシャーシを透視した斜視図である。
【図３】図１及び図２の光ピックアップ装置におけるガイド軸高さ調整構造に関してシャーシを透過して示す要部側面図である。
【図４】従来の光ピックアップ装置におけるガイド軸高さ調整構造に関してシャーシを透過して示す要部側面図である。
【符号の説明】
【００３２】
１    シャーシ
２    ガイド軸
２ａ    先端
３    光ヘッド
４    捩りコイルバネ
５    ネジ
５ａ    頭部
５ａａ    内側端面
５ｂ    ネジ軸部
６    ナット
【図１】
2006302372.tif 000003
【図２】
2006302372.tif 000004
【図３】
2006302372.tif 000005
【図４】
2006302372.tif 000006